(57)【要約】【課題】Ｕ字形コンクリート側溝用蓋において、蓋本体の強度を維持しつつ、ハイヒール、杖などの嵌りこみ問題を解消し、さらに雨水も効率よく排水する構造を有するコンクリート側溝用蓋を提供する。【解決手段】平板状コンクリートブロック本体１の両側面のそれぞれに鋼製アングル２を固設したＵ字形コンクリート側溝用蓋で、コンクリートブロック本体１の長手方向の長さよりも固設された鋼製アングルの長さを、長くして鋼製アングルをはみ出させ側溝開口部に隣接載置した場合、各蓋ブロック本体間にスリット間隙を生じさせる側溝用蓋である。【選択図】図１
0003197732.tif 000002
【実用新案登録請求の範囲】
【請求項１】
矩形平板状コンクリートブロック本体１の長手方向両側面のそれぞれに断面Ｌ字形の鋼製アングル２を固設したＵ字形コンクリート側溝用蓋であって、該矩形平板状コンクリートブロック本体１の長手方向両側面に固設された鋼製アングルの固設部２ａに対して直角に外側に広がるアングル懸架部２ｂは、Ｕ字形コンクリート側溝の蓋受け面１０ａに懸架できるようになっており、さらに該両側面の鋼製アングルが、該コンクリートブロック本体１の長手方向にそれぞれはみ出し部３を有していることを特徴とするＵ字形コンクリート側溝用蓋。
【請求項２】
前記Ｕ字形コンクリート側溝用蓋のコンクリートブロック本体１に、両側面に固設された鋼製アングル２の間隔と同じ長さのスリット穴４を１本以上設けたことを特徴とする前記請求項１に記載のＵ字形コンクリート側溝用蓋。
【考案の詳細な説明】
【技術分野】
【０００１】  本考案は、Ｕ字形コンクリート側溝の開口上部に複数個を並べて載置して用いられる蓋に関する。
【背景技術】
【０００２】  道路などの排水設備として用いられるＵ形コンクリート側溝の開口上部には、矩形平板状コンクリート製蓋を側溝の長手方向に連続に複数個を載置している。これら矩形平板状コンクリート製蓋を、互いにタイトに隣接させて載置すると雨水を側溝内にスムースに流入させて排水できない。【０００３】  そこで図５に示すように、蓋の隣接側面に水受け凹み部６を設ける。さらに、必要に応じてコンクリート製蓋に一つ以上の水受け長穴７を設けることが行われている。これらの水受けの開口面積を大きくすれば、雨水の効率的な排水が可能であるが、歩行者にとってはハイヒールのかかと部分や杖が嵌り込んだりして危険である。さらに蓋本体の強度が小さくなるという問題が生じる。【０００４】  このような歩行者などへの配慮から特許文献１では、コンクリート側溝用蓋の表裏を貫通する透過孔（細い長穴）を複数設けることが行われている。これらの透過孔数を多く、かつ幅方向に長くし過ぎると、雨水の排水効率は高くなるが蓋の強度は弱くなり蓋本体が分断されてしまう。【０００５】  また、側溝用蓋の強度を増すために、特許文献２では平板状コンクリートブロック本体と金属製懸架部からなる側溝用蓋が提案されている。この蓋は、金属製懸架部を有していることから強度は増しているが、雨水排水については特段の考慮はなされていない。
【先行技術文献】
【０００６】
【特許文献１】公開特許公報  特開２００５−１３９８２６号公報
【特許文献２】公開実用新案公報  実開平５−８７０８４号公報
【考案の開示】
【考案が解決しようとする課題】
【０００７】  Ｕ字形コンクリート側溝用蓋においては、その本体強度を保持しつつ、雨水排水を効率的に出来ることが求められている。本考案では、蓋本体の強度を維持しつつ、ハイヒール、杖などの嵌りこみ問題を解消し、さらに雨水も効率よく排水する構造を有するコンクリート側溝用蓋を提供することを課題とする。
【課題を解決するための手段】
【０００８】  前記課題を解決する具体的手段とするところは、考案１として、矩形平板状コンクリートブロック本体１の長手方向両側面のそれぞれに断面Ｌ字形の鋼製アングル２を固設したＵ字形コンクリート側溝用蓋であって、該矩形平板状コンクリートブロック本体１の長手方向両側面に固設された鋼製アングルの固設部２ａに対して直角に外側に広がるアングル懸架部２ｂは、Ｕ字形コンクリート側溝の蓋受け面１０ａに懸架できるようになっており、さらに該両側面の鋼製アングルが、該コンクリートブロック本体１の長手方向にそれぞれはみ出し部３を有していることを特徴とするＵ字形コンクリート側溝用蓋である。【０００９】  さらに考案２として、前記Ｕ字形コンクリート側溝用蓋のコンクリートブロック本体１に、両側面に固設された鋼製アングル２の間隔と同じ長さのスリット穴５を１本以上設けたことを特徴とする前記考案１に記載のＵ字形コンクリート側溝用蓋である。
【考案の効果】
【００１０】  本考案によれば、コンクリート側溝の長手方向両側面に鋼製アングルを固設しているから、蓋強度が高くなっている。そして、両側面のアングル長さがコンクリート本体の長さより長くなっているから、これらの蓋を側溝に複数個をタイト隣接して懸架した場合、このアングルと本体との長さの差、すなわちはみ出し部分だけ、隣接するコンクリート本体間にスリット間隙を生じさせることが出来る。すなわち、蓋幅方向に鋼製アングル間隔に等しい長さのスリット間隙を生じさせることが出来る。【００１１】  図５に示すような従来の水受け凹み部６および長穴７では、幅方向の全長に渡り長くしようとすることは出来なかった。本考案では、隣接する蓋間隔をはみ出し部３により幅方向全長にわたりスリット間隙を確保できる。従来の水受け凹み部６と同じ開口面積を確保しようとした場合、開口するスリット間隙幅をより小さく出来ることになる。【００１２】  さらに本考案では、図４に示すように蓋本体の両側面に強度のある鋼製アングルが固設されているから、長手方向に隣接する蓋の間隙の一定確保ばかりでなく、蓋コンクリート本体の任意の位置に、一本以上のスリット穴５を設けることが出来る。このスリット穴はいずれもハイヒール、杖などの嵌りこみ問題に対応できる細い幅とすることが出来るので、複数個設けて総開口面積を大きくして雨水排水に充分対応できる。
【考案を実施するための最良の形態】
【００１３】  本考案の実施例を図面に基づいて説明する。
【実施例】
【実施例１】
【００１４】図１は、本考案のＵ字形コンクリート側溝用蓋の斜視図である。図１に示すように、本考案に係る側溝用蓋は、コンクリートブロック本体１と、その両側面にそれぞれ鋼製アングル２を固設して構成されている。この鋼製アングルの断面はＬ字形となっており、Ｌ字形の一方の面である固設部２ａは、コンクリート本体と内部鉄筋により強固に接合固定される。通常、側溝蓋には細い棒鋼が配筋され蓋強度を増しているが、本考案でも内部鉄筋は両アングルに溶接固定されることにより蓋として充分な強度が確保している。【００１５】  断面Ｌ字形の鋼製アングルの他方の面である懸架部２ｂは、固設部２ａに対して直角に外側に広がっている。この懸架部２ｂにより、コンクリートブロック本体１はＵ字形コンクリート側溝の上部開口面に懸架することが出来る。次に、鋼製アングルの長手方向長さは、コンクリートブロック本体１の長手方向の長さより、長く設定されている。したがって、鋼製アングル２は常には、コンクリートブロック本体１に対して、はみ出し部３が生じる。はみ出し部３の長手方向の長さは、必要に応じて設定すればよいが、本考案の目的に照らせばおおむね０．５〜２ｃｍ程度が好ましい。【００１６】  図２は、実施例１の本考案の蓋を、実際にＵ字形コンクリート側溝１０の蓋受け面１０ａに、連続に載置した斜視図である。鋼製アングル２にはみ出し部３を設けているために各側溝蓋は、隣接するコンクリートブロック本体１の側面にタイトに載置できないため、必然的にスリット間隙４を作ることが出来る。【００１７】  図３（ａ）は、実施例１に説明したＵ字形コンクリート側溝用蓋の平面図である。蓋の長手方向の片側面に鋼製アングル２のはみ出し部３を設けている。図３（ｂ）は、蓋の長手方向の両側面に鋼製アングルのはみ出し部３を設けた他の実施態様を示している。図３（ａ）と（ｂ）において、それぞれの蓋を側溝に載置したとき出来るスリット間隙４の幅を同じにする場合は、（ｂ）の態様ではみ出し部３の長さを（ａ）のそれの半分に設定すればよい。
【実施例２】
【００１８】図４は、考案２の蓋を説明する斜視図である。コンクリートブロック本体１に、幅両側の鋼製アングル２に達する長さのスリット穴５が２本設けられている。コンンクリートブロック本体１に、このようなスリット穴５を設けることによりコンクリート本体１が分離されても、分離された本体はいずれも内部配筋により固設された両側アングルを介して連結されているので、蓋の全体強度が実用上問題となることはない。このスリット穴５の本数は、必要に応じて決めればよい。いずれのスリット穴も、幅方向にアングル間隔まで長くすることが出来るので排水有効面積を確保しながら細く出来る特徴がある。
【図面の簡単な説明】
【００１９】
【図１】本考案の実施例１を示す斜視図である。
【図２】本考案の実施例１の蓋を側溝蓋として載置した斜視図である。
【図３】本考案の実施例１と、その別の態様を説明する平面図である。
【図４】本考案の実施例２を示す斜視図である。
【図５】従来のコンクリート製Ｕ形側溝用蓋例の斜視図である。
【符号の説明】
【００２０】１  ・・コンクリートブロック本体
２  ・・鋼製アングル
２ａ・・固設部
２ｂ・・懸架部
３  ・・はみ出し部
４  ・・スリット間隙
５  ・・スリット穴
６  ・・水受け凹部
７  ・・長穴
１０・・通常のＵ字形コンクリート側溝
１０ａ・蓋受け面
【図１】
0003197732.tif 000003
【図２】
0003197732.tif 000004
【図３】
0003197732.tif 000005
【図４】
0003197732.tif 000006
【図５】
0003197732.tif 000007